(57)【要約】 【課題】  高インダクタンスで、小形の低背型コイルおよびその製造方法を提供すること。【解決手段】  ロの字形状の非分割型のコア３と、前記ロの字形状の４つの辺のうち対向する辺に位置して対をなすボビン１，１０と、そのボビンに巻回された巻線とを備える低背型コイルであり、ボビン１，１０はコア３の巻回箇所を軸として回転しながら巻線が施され、２つのボビン１，１０に巻回された巻線はつながっており、各ボビンに巻回された前記巻線は同一電流に対してコア３の閉磁路内で同方向の磁束を発生する低背型コイルである。【選択図】  図１
2006294736.tif 000002
【特許請求の範囲】
【請求項１】
ロの字形状の非分割型磁心と、前記ロの字形状の４つの辺のうち対向する辺に位置して対をなすボビンと、前記ボビンに巻回された巻線とを備える低背型コイルにおいて、前記ボビンは前記辺を軸として回転しながら巻線が施され、前記対をなす２つのボビンに巻回された巻線はつながっており、各ボビンに巻回された前記巻線は同一電流に対して前記磁心の閉磁路内で同方向の磁束を発生することを特徴とする低背型コイル。
【請求項２】
前記対をなすボビンに巻回された巻線は接続箇所のない連続した導線からなることを特徴とする請求項１記載の低背型コイル。
【請求項３】
前記ボビンは歯車を備え、前記歯車とかみ合って連動するギア機構によって回転駆動され巻線されたことを特徴とする請求項１または２記載の低背型コイル。
【請求項４】
前記ボビンは、前記対をなすボビンに連続した導線で巻線するために、同期して巻線できるギア構造の一部となる歯車を備えることを特徴とする請求項２または３記載の低背型コイル。
【請求項５】
ロの字形状の非分割型磁心と、前記ロの字形状の４つの辺のうち対向する辺に位置して対をなすボビンと、前記ボビンに巻回された巻線とを備える低背型コイルの製造方法において、一定長の導線の一端を一方のボビンに絡げ、前記一方のボビンを前記辺を軸として回転させて巻線し、前記導線の他端を他方のボビンに絡げ、前記他方のボビンを回転させて巻線する工程を含むことを特徴とする低背型コイルの製造方法。
【発明の詳細な説明】
【技術分野】
【０００１】
本発明は民生用や産業用電子機器等に使用される低背型コイルおよびその製造方法に関し、特にＡＤコンバータなどに使用される、チョークコイル、トランス、コモンモードチョークコイルに好適な低背型コイルに関する。
【背景技術】
【０００２】
従来この種のコイルは閉磁路磁心の一箇所にのみに巻回してコイルを構成している。その一例として従来のチョークコイルを図４に正面図で示す。１は組合せ型のボビンであり、その中心軸は図の面に垂直であり、２はベースであり、３はロの字形状のコア（磁心）であり、図示は省略するが上側から見るとロの字形状が現れ、４は端子のピンである。このようにコア３の直線部分の一つにボビン１を介して巻線が施される。同様の構造のラインフィルタは特許文献１などに開示されている。
【０００３】
【特許文献１】特開平８−１３８９５２号公報
【発明の開示】
【発明が解決しようとする課題】
【０００４】
近年、この種のコイルには高いインダクタンスが要求されるとともに、機器の小型化のために高さを低くした低背型が要求されている。しかしながら従来この種のコイルは図４に示したように閉磁路磁心の一箇所にのみに巻回してあるため、高いインダクタンスを得るにはボビンを大きくして銅線を多く巻回する必要があり、銅線が何層にも重なるため、コイル外径が大きくなり、高さ方向、幅方向が大型化することで機器の小型化には限界があった。
【０００５】
そこで、本発明の課題は、高インダクタンスで、高さ方向に小形の低背型コイルおよびその製造方法を提供することにある。
【課題を解決するための手段】
【０００６】
前記課題を解決するために、本発明の低背型コイルは、ロの字形状の非分割型磁心と、前記ロの字形状の４つの辺のうち対向する辺に位置して対をなすボビンと、前記ボビンに巻回された巻線とを備える低背型コイルにおいて、前記ボビンは前記辺を軸として回転しながら巻線が施され、前記対をなす２つのボビンに巻回された巻線はつながっており、各ボビンに巻回された前記巻線は同一電流に対して前記磁心の閉磁路内で同方向の磁束を発生することを特徴とする。
【０００７】
前記対をなすボビンに巻回された巻線は接続箇所のない連続した導線からなるとよい。
【０００８】
前記ボビンは歯車を備え、前記歯車とかみ合って連動するギア機構によって回転駆動されて巻線されるとよい。
【０００９】
前記ボビンは、前記対をなすボビンに連続した導線で巻線するために、同期して巻線できるギア構造の一部となる歯車を備えるとよい。
【００１０】
そして、本発明の低背型コイルの製造方法は、ロの字形状の非分割型磁心と、前記ロの字形状の４つの辺のうち対向する辺に位置して対をなすボビンと、前記ボビンに巻回された巻線とを備える低背型コイルの製造方法において、一定長の導線の一端を一方のボビンに絡げ、前記一方のボビンを前記辺を軸として回転させて巻線し、前記導線の他端を他方のボビンに絡げ、前記他方のボビンを回転させて巻線する工程を含むことを特徴とする。
【発明の効果】
【００１１】
本発明の低背型コイルは、巻線部を第一、第二の位置に分割して設けることで従来のコイルと比較すると高さ方向が低くなり低背型コイルの提供が可能になる。また巻線部を第一、第二の位置に分割して設けることにより、巻線間に存在する分布容量が減り高周波特性が良くなる。
【００１２】
また本発明を適用したコモンモードチョークコイルでは磁束を打ち消し合うように巻線してあり、高周波特性が良くなる。また巻線部を第一、第二の位置に分割して設けることにより、放熱面積が広くなり、温度上昇を抑えることができる。
【００１３】
また、磁心の巻回箇所を軸として回転可能なボビンを用いたので、自動巻線による製造方法が可能になる。
【発明を実施するための最良の形態】
【００１４】
以下、本発明の実施の形態について、図面を用いて説明する。
【００１５】
図１は、本発明をコモンモードチョークコイルに実施した低背型コイルを示す正面図であり、１および１０はボビン、２はベース、３はロの字形状のコア、４は端子のピン、５はベーススタンドオフである。このように、正面から見ると、２つのボビン１，１０はめがね形状を呈する。また、図２は本発明の低背型コイルの右側面図であり、６はボビンに巻線された銅線である。そして、図３はその底面図である。なお、平面図は省略したが、上から見ると、コア３はロの字形状を呈する。
【００１６】
本発明の低背型コイルは、図１および図２にも示すように、ロの字形状のフェライト製コア３、ボビン１および１０、銅線６、ベース２、ピン４から構成される。
【００１７】
それぞれ組合せ型のボビン１およびボビン１０をロの字形状のコア３に取り付け、巻線を施し、それをベース２に取り付けてなる。
【００１８】
ボビン１に銅線を巻線するため、銅線をボビン１に絡げ、ボビン１に連動するギア（ボビン１に備えられた歯車にかみ合って回転する歯車の機構）によりボビン１が回転し、ボビン１に巻線される。もう一方のボビン１０に巻線するために、規定の長さの銅線を引き出し、端部を切断し、切断した方の端部をボビン１０に絡げ、そのボビン１０を回転させ巻線する。その回転の向きは、銅線に流す同一電流に対して、コアの閉磁路内の磁束を強め合う向きである。巻線後に先に絡げておいた各々の端部をピン４に絡げ（図３の絡げ９を参照）、ピン４に半田処理を行い、本発明の低背型コイルが得られる。なお、図３に示した巻線７と巻線８は互いに発生する磁束を打ち消し合う向きに巻回する。
【００１９】
前述した製造方法において、銅線をあらかじめ定められた長さに切断し、両方のボビンを同期して回転させ巻線を行うことも可能である。なお、ボビンを回転するギア機構に代えて、ボビンの鍔とプーリーによる回転機構を用いて巻線してもよい。
【００２０】
さらに説明を加えると、ロの字型の閉磁路磁芯に２箇所に分けて構成されたボビンにてボビン自体を回転させ自動巻線が可能なコイルにおいて、一定長に切断した銅線の片端を第一の分割ボビンに絡げ、第一の分割ボビンを規定トータル回数の半分だけ回転させて一定長に切断した銅線の中心まで使い切る程度に積層巻回して第一の巻線部とし、次に、その第一の巻線部から伸びる残り半分の銅線端部を第二の分割ボビンに絡げ、第一の巻線部と同じ巻数となるように第二の分割ボビンを回転させて巻回して、前記第一の巻線部と第二の巻線部にて、めがね形状に、分割することで高さ方向を低くする。
【００２１】
以上のように、ロの字型の閉磁路磁芯を使用し、巻線部を２箇所に分割して、ロの字形状の対向する２辺に設けることにより、高インダクタンスで低背化が可能になっただけでなく、巻線間に存在する分布容量が減り高周波特性が向上し、また巻線からの発熱に対しては、放熱が容易になり、電流容量を高めることができた。また、ボビンを回転可能な構造としたので、コモンモードチョークコイルでの自動巻線が可能となった。さらに、２つの巻線部を有するめがね状の巻線部を組合せた結果、コモンモードチョークコイルの高周波特性を高めることができた。
【００２２】
以上の実施の形態では、図３に示したように、ボビン１または１０の各々に対して巻線８の半分と巻線７の半分を巻回したコモンモードチョークコイルについて説明したが、２端子のチョークコイルについても、本発明の有効性は明らかである。
【産業上の利用可能性】
【００２３】
本発明の低背型コイルはチョークコイルとして電源部のＥＭＩ対策に利用できる。
【図面の簡単な説明】
【００２４】
【図１】本発明の低背型コイルを示す正面図。
【図２】本発明の低背型コイルの右側面図。
【図３】本発明の低背型コイルの底面図。
【図４】従来のチョークコイルの正面図。
【符号の説明】
【００２５】
１，１０    ボビン
２    ベース
３    コア
４    ピン
５    ベーススタンドオフ
６    銅線
７，８    巻線
９    絡げ
【図１】
2006294736.tif 000003
【図２】
2006294736.tif 000004
【図３】
2006294736.tif 000005
【図４】
2006294736.tif 000006